(57)【要約】      （修正有）【課題】耳に孔を開けなくても、確実に脱落が防止でき、かつ装着時の違和感がない、磁石を用いた耳飾り用脱落防止金具、及びそれを備えた耳飾りを提供する。【解決手段】磁石が設けられた取付金具と、磁石が設けられた取付金具とにより、耳たぶを両側から挟み、２つの磁石の吸引力により、耳飾りを固定する耳飾り用脱落防止金具であって、磁石により、耳飾りの重さ１ｇあたり０．００２ｋｇｆから０．０２５ｋｇｆの吸引力が生じるように、それぞれ取付金具と取付金具に設ける。【選択図】図２
0003169358.tif 000002
【実用新案登録請求の範囲】
【請求項１】
磁石１が設けられた取付金具１と、磁石２が設けられた取付金具２とにより、耳たぶを両側から挟み、前記磁石１と前記磁石２との吸引力Ｆにより、耳飾りを固定する耳飾り用脱落防止金具であって、
耳飾りの重さ１ｇあたり0.002kgfから0.025kgfの吸引力Ｆを生じさせる前記磁石１と前記磁石２とが、それぞれ前記取付金具１と前記取付金具２とに設けられていることを特徴とする耳飾り用脱落防止金具。
【請求項２】
前記吸引力Ｆは、下記式１により算出されることを特徴とする請求項１に記載の耳飾り用脱落防止金具。
[式１]
（上記式１において、
F=２．３９×１０-8×(B1B2D12D22t1t2)÷r4
B1：磁石１の表面磁束密度、B2：磁石２の表面磁束密度
D1：磁石１の直径、D2：磁石２の直径
t1：磁石１の厚さ、t2磁石２の厚さ
ｒ：磁石１と磁石２との距離
である。）
【請求項３】
前記取付金具１と、前記取付金具２の耳たぶに接触する面側には、エラストマー、エレスチン、シリコン、ピロキシリン、ヒドロゲルのいずれかの薄膜層が形成されていることを特徴とする請求項１又は２に記載の耳飾り用脱落防止金具。
【請求項４】
前記薄膜層の表面にしわ模様の凹凸パターンが形成されていることを特徴とする請求項１から３のいずれかに記載の耳飾り用脱落防止金具。
【請求項５】
前記取付金具１と前記取付金具２とが、間隔調節金具、又はチェーンで接続されていることを特徴とする請求項１から４のいずれかに記載の耳飾り用脱落防止金具。
【請求項６】
請求項１から５のいずれかに記載の耳飾り用脱落防止金具を備えたことを特徴とする耳飾り。
【請求項７】
リバーシブル、又はフルエタ二ティであることを特徴とする請求項６に記載の耳飾り。
【考案の詳細な説明】
【技術分野】
【０００１】
本考案は、ピアス、イヤーカフ、イヤーチャーム等のいわゆる耳飾り（イヤリング）に関し、特に、耳たぶ等に孔を開けることなく、最適な磁石の磁力による吸引作用（吸引力）により、違和感なく装着できる耳飾り用脱落防止金具、及びそれを備えた耳飾り（イヤリング）に関する。
【背景技術】
【０００２】
耳飾りには大きくわけて、耳たぶや外耳にあけた孔に通してつける耳飾り（以下、「ピアス」と称する）と、耳に孔をあけずにクリップや磁石、ねじ等で耳たぶを挟んで固定するものの２種類がある。
ピアスは、耳たぶ等に孔をあけ、そこにピン等を貫通させて耳につける。そのため、ピン等が貫通部を通して、直接耳に接触するため、その材料について様々な注意が必要であり、人体に影響の少ない金、銀、プラチナ、チタン等の高価なものが、ピンとして使われている。このため、ピアスは高価なものになりがちである。
また、ピアスは、耳たぶや外耳に孔をあけるという医療行為を伴い、敏感肌の人やアレルギーのある人などは、耳たぶ等に孔を開けることに対して抵抗を感じる人もいる。このため、孔をあける必要のないピアスが種々考案されている。
耳に孔をあけず耳たぶ等に耳飾りを留める方法としては、例えば、スクリュー・タイプと呼ばれるものがある。この方法は、イヤリングの耳の後ろ側のネジをまわすことで、耳たぶを挟んで固定するものである。このタイプはイヤリングにスクリューと呼ばれるネジを付ける必要があるため、デザイン面で少なからず問題が生じる場合がある。
また、クリップ・タイプと呼ばれるものもある。このタイプは、イヤリングのクリップで耳たぶをパチンとはさんで固定するものである。また、クリップ・タイプフープ型と呼ばれるものもある。このタイプは、イヤリングが輪っか状になっており、耳たぶを囲むことで固定するものである。これらのタイプはいずれも、デザインが制約されたり、留め金具が目立つ等の問題がある。
一方、磁力を用いて固定するイヤリングも使用されている。例えば、特許文献１には、耳たぶ等に孔を開けることなく使用可能な磁力を用いて固定するイヤリングが開示されている。
【０００３】
特許文献１には、貴金属等の装飾ピースと、それを取り付ける取付ピースとを備え、装飾ピースは台座部とそれに固定される装飾本体部とからなり、取付ピースは、取付台部とそれに固定される留め金具形状部とからなり、台座部及び取付台部には、互いに磁力により引き合うように磁石が内蔵されている磁力を用いた耳飾りが開示されている。
【先行技術文献】
【特許文献】
【０００４】
【特許文献１】実用新案登録第３０３７４４６号
【考案の概要】
【考案が解決しようとする課題】
【０００５】
しかし、特許文献１には単に磁力を用いて固定するとの記載があるのみであり、本来、耳飾りを固定するために必要な磁力がどの程度のものであるか全く開示されていない。そのため、例えば、特許文献１の明細書第６頁段落００２２に記載があるような、磁力によるこり防止効果等もあるような強力な磁石を使えば、磁石自身が大きくかつ重くなり、そのような重く大きな磁石を取り付けた耳飾りは不必要に大型化してしまうという問題がある。一方において、磁力が弱いと耳たぶに耳飾りを十分に固定することができず、耳飾りが耳たぶから脱落してしまうという問題がある。
このように、従来の磁石を用いて耳飾りを固定する耳飾り用金具は、違和感なくイヤリングを装着することができ、かつ耳たぶから容易に脱落しないという、相反する２つの条件を具備できる仕組みにはなっていない。換言すれば、従来の磁石を用いた耳飾り用脱落防止金具は、イヤリングが耳から脱落することなく、かつ違和感なく装着できない、という問題があった。
【０００６】
そこで本考案の課題は、耳に孔を開けなくても、確実に脱落が防止でき、かつ装着時の違和感がない、磁石を用いた耳飾り用脱落防止金具、及びそれを備えた耳飾りを提供するものである。
【課題を解決するための手段】
【０００７】
上記課題を解決するため請求項１に記載の考案は、磁石１が設けられた取付金具１と、磁石２が設けられた取付金具２とにより、耳たぶを両側から挟み、前記磁石１と前記磁石２との吸引力Ｆにより、耳飾りを固定する耳飾り用脱落防止金具であって、耳飾りの重さ１ｇあたり０．００２kgfから０．０２５kgfの吸引力Ｆを生じさせる前記磁石１と前記磁石２とが、それぞれ前記取付金具１と前記取付金具２とに設けられていることを特徴とする。
【０００８】
請求項２に記載の考案は、請求項１に記載の耳飾り用脱落防止金具であって、前記吸引力Ｆは、下記式１により算出されることを特徴とする請求項１に記載の耳飾り用脱落防止金具。
[式１]
（上記式１において、
F=２．３９×１０-8×(B1B2D12D22t1t2)÷r4
B1：磁石１の表面磁束密度、B2：磁石２の表面磁束密度
D1：磁石１の直径、D2：磁石２の直径
t1：磁石１の厚さ、t2磁石２の厚さ
ｒ：磁石１と磁石２との距離
である。）
請求項３に記載の考案は、請求項１又は２に記載の耳飾り用脱落防止金具であって、前記取付金具１と、前記取付金具２の耳たぶに接触する面側には、少なくともエラストマー、エレスチン、シリコン、ピロキシリン、ヒドロゲルのいずれかの薄膜層が形成されていることを特徴とする。
【０００９】
請求項４に記載の考案は、請求項１から３のいずれかに記載の耳飾り用脱落防止金具であって、前記薄膜層の表面にはしわ模様の凹凸パターンが形成されていることを特徴とする。
【００１０】
薄膜層の表面にしわのような皮膚表面のような凹凸パターンを形成することにより、ぬれ性、摩擦特性が向上するとともに、ひとの肌と同様な質感をもたせることができ、これにより耳飾りを装着したときの違和感を少なくすることができる。
【００１１】
請求項５に記載の考案は、請求項１から４のいずれかに記載の耳飾り用脱落防止金具であって、前記取付金具１と前記取付金具２とが、間隔調節金具、又はチェーンで接続されていることを特徴とする。
【００１２】
請求項６に記載の考案は、耳飾りであって、請求項１から５のいずれかに記載の耳飾り用脱落防止金具を備えたことを特徴とする。
【００１３】
請求項７に記載の考案は、請求項６に記載の耳飾りであって、リバーシブル、又はフルエタ二ティであることを特徴とする。
【考案の効果】
【００１４】
本考案によれば、耳に孔を開けなくても、脱落が防止できる耳飾り用脱落防止金具を提供することができる。また、耳たぶを押圧する磁石（磁力）が必要最低限のものとなることから、ピアスの装着に違和感がない（軽い、痛くない）とともに、耳飾りが耳たぶから容易に脱落しない耳飾り用脱落防止金具、及びそれを備えたピアスを提供することができる。
【図面の簡単な説明】
【００１５】
【図１】耳たぶからピアスの脱落を防止するための磁力を算出するための解析モデルの概念を示した図
【図２】本考案の第１の実施例である耳飾りを示す図
【図３】本考案の第２の実施例である耳飾りを示す図
【図４】本考案の第３の実施例である耳飾りを示す図
【図５】本考案の第４の実施例である耳飾りを示す図
【図６】本考案の第５の実施例である耳飾りを示す図
【考案を実施するための形態】
【００１６】
本考案の実施の形態について、図面を参照して詳細に説明するが、本考案はこれに限定されるものではない。
図１はピアスの装着に違和感がない（軽い、痛くない）とともに、耳飾りが耳たぶから容易に脱落するのを防止するための最適な磁力を算出するための解析モデル１００の概念を示した図である。図１に示す解析モデル１００により、耳に孔を開けなくても、耳飾りが耳たぶから脱落するのを防止するために必要となる、最小限の磁石（磁力）について算出を行った。
【００１７】
図１に示すモデルは、X平面、Y平面、Z平面で、耳たぶ１１００、磁石１２００の全体を、ともに１／４分割し、その１／４を対称とする１／４の対称モデルである。耳たぶ１１００は、磁石１２００と、耳たぶの裏側に設置されている磁石１２１(図示していない)とにより挟まれている。ここで、磁石１２００と他の磁石１２１０とにより、互いに力１３００で引き合っている。磁石１２００と磁石１２１０とによる吸引力１３００と、磁石１２００・磁石１２１０が耳たぶ１１００に接しているところの摩擦力とにより、ピアスが耳たぶ１１００から脱落せずに、耳たぶに保持（固着）される。
【００１８】
解析にあたっては、耳たぶのＸ軸方向の長さ、ｘ＝１５ｍｍ、耳たぶのＹ軸方向の長さ、Ｙ＝３０ｍｍとし、耳たぶの厚さであるＺ軸方向の長さは、ｔ＝２mm〜５ｍｍと仮定した。なお、実際の耳たぶの厚み（ｔ）には凹凸があるが、このモデルにおいては、均一であるとした。
【００１９】
この解析モデルにおいて耳かざりの重さは磁石１２００の重さに包含させた。また、解析に用いたパラメータとして、耳たぶ１１００と磁石１２００・磁石１２１０との摩擦係数は０．５とした。また、耳たぶのヤング率は４００ｋＰａ、ポアソン比は０．４とした。これらのパラメータは、耳たぶと類似する生態の軟組織であるエラスチンとほぼ同じ値である。なお、エラストマー、シリコン、ピロキシリンも耳たぶと類似する生体の軟組織であり、パラメータも類似していることが判明した。
【００２０】
耳たぶの厚さについては、個人差を考慮し２ｍｍ、３ｍｍ、４ｍｍ、５ｍｍの４種類とした。なお、本明細書において、耳たぶの厚さと、磁石１２００・磁石１２１０との距離とは、同じ意味である。
【００２１】
図１に示す解析モデルに、上述した耳たぶの各種パラメータを適用し、耳たぶの厚さ（磁石１２００と磁石１２１０との距離）が２ｍｍから５ｍｍの４種類、それに対する耳飾りの重さを２．１１ｇ〜２０ｇの７種類について解析を行った。それにより、表−１に示すような結果が得られた。
（表−１）
0003169358.tif 000003
【００２２】
上記の表−１に見られる通り、距離２ｍｍにおいては、重量１５ｇまでの耳飾りを、磁石による引き合う力（以下、吸引力）が０．０５９２９ｇｆ以上であれば、耳たぶから耳飾りを脱落を防止できることが判明した。
【００２３】
距離３ｍｍにおいては、重量７．５ｇまでは０．０１１７１ｋｇｆ以上の吸引力があれば、脱落を防止できることが判明した。同様に、４ｍｍでは０．００３７０５ｋｇｆ以上の吸引力で、重量２．６ｇまでの耳飾りの脱落を防止できることが判明した。なお、距離５ｍｍの場合は、重量２．１１ｇの耳飾りであっても、吸引力が０．００１５１８ｋｇｆとなり、耳かざりの脱落を防止できないことが判明した。
【００２４】
この解析モデルにおいて、磁石と耳たぶとの接触状況（磁石と耳たぶとの間で滑りがおきているかどうか）について確認したところ、重量２．６ｇの場合、磁石１２００、磁石１２１０との距離３ｍｍのときが最も滑り量が少ないことが判明した。それは、距離が大きくなる（４ｍｍ）と、磁石が耳たぶを押しつける力が弱くなり、その結果、磁石の上半分の滑り量が大きくなる。しかし一方において、距離が短くなる（２ｍｍ）と、磁石が耳たぶを押しつける力が強くなり過ぎ、その結果、磁石の外周側が滑りやすくなるためである。即ち、磁石により耳飾りの脱落を防止するとともに、違和感のなく耳飾りを装着するには、耳飾りの重さ（磁石の重さを含む）と、耳たぶの厚さ（磁石間の距離）との関係において、最も適切な吸引力を生じさせる磁石を選択する必要があることが判明した。
【００２５】
ここで表−１を、耳かざり１ｇ単位あたりの吸引力１３００（ｋｇｆ）に換算したもの（吸引力／重量）が下記の表−２である。表−２において、網掛け部分（グレーの部分）が、耳飾りが脱落しなかったときの１ｇあたりの吸引力である。表―２において網掛け部分が耳飾りの脱落しない吸引力のところである。
【００２６】
（表−２）
0003169358.tif 000004
【００２７】
表−２に示す通り、耳飾りの重量によって違いがあるももの、１ｇの耳飾りが脱落しない最小限の吸引力は、０．００２ｋｇｆが目安となることがわかる。一方上述したように、２．６ｇの耳飾りについて、１ｇあたり０．０２２８０４ｋｇｆだと、若干ではあるが耳たぶを押しつけ過ぎ、磁石の外周に滑りが生じ、０．００１４２５ｇだと、耳飾りの上半分全体が滑りを生じる。そして、１ｇあたり０．００４５０４ｋｇｆのときが、滑りが少なかったことが判明している。
【００２８】
これらのことから、０．００２ｋｇｆから０．０２５ｋｇｆ以下の吸引力が、耳飾りの装着に違和感（軽い、痛くない）がなく、かつ耳飾りが耳たぶから脱落しない吸引力の範囲であることが判明した。
【実施例１】
【００２９】
図２は本考案の第１の実施例であるフルエタニティのピアスを示した図である。この実施例における耳飾り１は、外径２５ｍｍ、重量２．１１ｇ、地金ＳＶ９２５である。このフルエタニティの耳飾り１は、図２（ｃ）に示す通り、対称な半円環状のリングの一端を、開閉自在に接続する接続調節金具１４で接続され、他端にはそれぞれ磁石１１、磁石１２が設けられている。
【００３０】
磁石１１、磁石１２の表面には、例えば、エラスチン、シリコン、ピロキシリンなど、人体に無害でかつ磁力の透過を妨げない、薄膜層（保護層）を設けることが好ましい。また、この薄膜層（保護層）は、耳たぶとの摩擦力を高める機能もあり、耳飾りを違和感なく装着できるばかりでなく、摩擦力の向上による耳飾りの脱落防止の役割を果たす。
【００３１】
さらに、薄膜層の表面にしわのような皮膚表面の凹凸パターンを形成することは好ましい。これにより、ぬれ性、摩擦特性が向上するとともに、ひとの肌と同様な質感をもたせることができ、これにより耳飾りを装着したときの違和感を少なくすることができるからである。
【００３２】
図２（ｂ）は、フルエタニティの耳飾り１を閉じたときの状態を示した図である。空間１００が耳たぶを挟む空間であり、その空間距離は接続調節金具１４により調節可能となっているが、最も閉じたときの距離が２ｍｍである。図２に示す通り、耳飾り１の外周には、例えばダイヤモンド等の宝飾品が設けられている。かかる耳飾り１を耳たぶに設置したときの様子を示したのが、図２（ａ）である。耳飾り１に設けられる磁石１１、磁石１２は、耳飾り１の重量と、耳飾り１を身につける者の耳たぶの厚みとによる最適な吸引力を生じさせる磁石が設けられている。
【００３３】
図３は本考案の第２の実施例の耳飾り２を示した図である。この実施例における耳飾り２は、図３（ｃ）に示す通り、貴石２３を保持する貴石保持金具２２が磁石を兼ねており、接続調節金具２４により、それと対称に磁石２１を設けられている。磁石２１、磁石２２の表面には、例えば、エラストマー、エラスチン、シリコン、ピロキシリンなど、人体に無害でかつ磁力の透過を妨げない、薄膜層を設けることが好ましい。また、この薄膜層は、耳たぶとの摩擦力を高める機能もあり、耳飾りを違和感なく装着できるばかりでなく、摩擦力の向上による耳飾りの脱落防止の役割を果たす。
【００３４】
さらに、薄膜層の表層にしわのような皮膚表面の凹凸パターンを形成することは好ましい。これにより、ぬれ性、摩擦特性が向上するとともに、ひとの肌と同様な質感をもたせることができ、これにより耳飾りを装着したときの違和感を少なくすることができるからである。
【００３５】
図３（ｂ）は、フルエタニティの耳飾り２を閉じたときの状態を示した図である。空間２００が耳たぶを挟む空間であり、その空間距離は接続調節金具１４により調節可能となっているが、最も閉じたときの距離が２ｍｍとした。図３（ａ）は耳飾り２を耳たぶに設置したときの様子を示した図である。耳飾り２に設けられる磁石２１、磁石２２は、耳飾り２の重量と、耳飾り２を身につける者の耳たぶの厚みとによる最適な吸引力を生じさせる磁石が設けられている。  
【００３６】
図４は本考案の第３の実施例の耳飾り３を示した図である。この実施例における耳飾り３は、図４（ｂ）に示す通り、貴石３３を保持する金具が磁石３１を兼ねており、また、貴石３５を保持する金具が磁石３２を兼ねているものである。接続調節金具３４により、空間３００の距離を自在に調節することができる。図４（ｃ）は、貴石３３、貴石３５の正面から耳飾り３をみたときの図である。磁石３１、磁石３２の耳たぶ側の表面には、例えば、エラストマー、エラスチン、シリコン、ピロキシリンなど、人体に無害でかつ磁力の透過を妨げない、薄膜層を設けることが好ましい。また、この薄膜層は、耳たぶとの摩擦力を高める機能もあり、耳飾りを違和感なく装着できるばかりでなく、摩擦力の向上による耳飾りの脱落防止の役割を果たす。
【００３７】
さらに、薄膜層の表層にしわのような皮膚表面の凹凸パターンを形成することは好ましい。これにより、ぬれ性、摩擦特性が向上するとともに、ひとの肌と同様な質感をもたせることができ、これにより耳飾りを装着したときの違和感を少なくすることができるからである。
【００３８】
図４（ａ）は耳飾り３を耳たぶに設置したときの様子を示した図である。耳飾り３に設けられる磁石３１、磁石３２は、耳飾り３の重量と、耳飾り３を身につける者の耳たぶの厚みとによる最適な吸引力を生じさせる磁石が設けられている。
【００３９】
図５は本考案の第４の実施例の耳飾り４を示した図である。この実施例における耳飾り４は、図５（ｂ）に示す通り、対称な半円環状のリングの一端を、開閉自在に接続する接続調節金具４４で接続され、他端にはそれぞれ磁石４１、磁石４２が設けられている。磁石４１、磁石４２の表面には、例えば、エラスチン、シリコン、ピロキシリンなど、人体に無害でかつ磁力の透過を妨げない、薄膜層を設けることが好ましい。また、この薄膜層は、耳たぶとの摩擦力を高める機能もあり、耳飾りを違和感なく装着できるばかりでなく、摩擦力の向上による耳飾りの脱落防止の役割を果たす。
【００４０】
さらに、薄膜層の表層にしわのような皮膚表面の凹凸パターンを形成することは好ましい。これにより、ぬれ性、摩擦特性が向上するとともに、ひとの肌と同様な質感をもたせることができ、これにより耳飾りを装着したときの違和感を少なくすることができるからである。
【００４１】
図５（ｂ）に示す通り、半円環状のリングの表面には、貴石４３が設けられている。図５（ａ）は耳飾り４を耳たぶに設置したときの様子を示した図である。耳飾り４に設けられる磁石４１、磁石４２は、耳飾り４の重量と、耳飾り４を身につける者の耳たぶの厚みとによる最適な吸引力を生じさせる磁石が設けられている。
【００４２】
図６は本考案の第５の実施例の耳飾り５を示した図である。この実施例における耳飾り５は、図６（ｂ）に示す通り、貴石を保持する磁性を帯びた保持金具５２と磁石５１とが、チェーン５３で接続されている。磁石５１、磁石５２の表面には、例えば、エラスチン、シリコン、ピロキシリンなど、人体に無害でかつ磁力の透過を妨げない、薄膜層を設けることが好ましい。また、この薄膜層は、耳たぶとの摩擦力を高める機能もあり、耳飾りを違和感なく装着できるばかりでなく、摩擦力の向上による耳飾りの脱落防止の役割を果たす。
【００４３】
さらに、薄膜層の表層にしわのような皮膚表面の凹凸パターンを形成することは好ましい。これにより、ぬれ性、摩擦特性が向上するとともに、ひとの肌と同様な質感をもたせることができ、これにより耳飾りを装着したときの違和感を少なくすることができるからである。
【００４４】
図６（ａ）は耳飾り５を耳たぶに設置したときの様子を示した図である。耳飾り５に設けられる磁石５１、磁石５２は、耳飾り５の重量と、耳飾り５を身につける者の耳たぶの厚みとによる最適な吸引力を生じさせる磁石が設けられている。
【産業上の利用可能性】
【００４５】
本考案によれば、耳に孔を開けなくても、確実に脱落が防止できる耳飾り用脱落防止金具、及びそれを備えた耳飾りを提供することができる。
【符号の説明】
【００４６】
１，２，３，４，５  耳飾り
１１，１２  磁石
１４，２４  接続調節金具  
２３，３３  貴石
１００，２００  空間（磁石間距離）
１１００  耳たぶ
１３００  吸引力
【図１】
0003169358.tif 000005
【図２】
0003169358.tif 000006
【図３】
0003169358.tif 000007
【図４】
0003169358.tif 000008
【図５】
0003169358.tif 000009
【図６】
0003169358.tif 000010